(57)【特許請求の範囲】
【請求項１】
草刈のための刃を回転軸部に装着して回転させることにより草を刈る刈払機用の回転刈刃であって、
前記回転軸部に装着するための装着部が中心部に設けられる平板状の回転本体部と、
前記回転本体部の外縁部から外径側に突出し、前記回転本体部に対して所定の角度をなすように傾けられた４つの刃部と、
を備え、
前記４つの刃部は、周方向に均等な間隔をあけて突設されており、
前記各刃部のうち隣接する刃部は、前記回転本体部に対して、それぞれ反対方向に前記所定の角度をなすように傾けられていることを特徴する刈払機用の回転刈刃。
【請求項２】
草刈のための刃を回転軸部に装着して回転させることにより草を刈る刈払機用の回転刈刃であって、
前記回転軸部に装着するための装着部が中心部に設けられる平板状の回転本体部と、
前記回転本体部の外縁部から外径側に突出し、前記回転本体部に対して所定の角度をなすように傾けられた３つの刃部と、
を備え、
前記３つの刃部は、周方向に均等な間隔をあけて突設されており、
前記各刃部は、２つの板部を含み、
前記各刃部のうち隣接する板部は、前記回転本体部に対して、それぞれ反対方向に前記所定の角度をなすように傾けられていることを特徴する刈払機用の回転刈刃。
【請求項３】
草刈のための刃を回転軸部に装着して回転させることにより草を刈る刈払機用の回転刈刃であって、
前記回転軸部に装着するための装着部が中心部に設けられる平板状の回転本体部と、
前記回転本体部の外縁部から外径側に突出し、前記回転本体部に対して所定の角度をなすように傾けられた２つの刃部と、
を備え、
前記２つの刃部は、周方向に均等な間隔をあけて突設されており、
前記各刃部は、２つの板部を含み、
前記各刃部のうち隣接する板部は、前記回転本体部に対して、それぞれ反対方向に前記所定の角度をなすように傾けられていることを特徴する刈払機用の回転刈刃。
【発明の詳細な説明】
【技術分野】
【０００１】
本発明は、刈払機用の回転刈刃に関する。
【背景技術】
【０００２】
従来、農作物を育てる畑などにおいて、雑草等が生えて伸びた際に、適宜、草刈が行われている。本発明に関連する技術として、例えば、特許文献１には、中央に草刈機の回転軸（Ａ）への取付け孔（２）を有する回転カッター（１）の周縁刃部（３）の自由角度間隔に周縁刃部（３）の各歯（４）の歯先（４ａ）より突出した保護帯（５）を設けて構成される草刈用回転カッターが開示されている。
【先行技術文献】
【特許文献】
【０００３】
【特許文献１】特開平１１−４６５４６号公報
【発明の概要】
【発明が解決しようとする課題】
【０００４】
特許文献１によれば、円板状の回転カッターを回転させることで草を刈ることが出来るが、草を刈り続けると、刈り取られた草が回転軸部に巻き付いてしまい、効率良く刈り取れない状態となることがある。
【０００５】
本発明の目的は、より効率良く草を刈ること可能とする刈払機用の回転刈刃を提供することである。
【課題を解決するための手段】
【０００６】
本発明に係る刈払機用の回転刈刃は、草刈のための刃を回転軸部に装着して回転させることにより草を刈る刈払機用の回転刈刃であって、前記回転軸部に装着するための装着部が中心部に設けられる平板状の回転本体部と、前記回転本体部の外縁部から外径側に突出し、前記回転本体部に対して所定の角度をなすように傾けられた４つの刃部と、を備え、  前記４つの刃部は、周方向に均等な間隔をあけて突設されており、前記各刃部のうち隣接する刃部は、前記回転本体部に対して、それぞれ反対方向に前記所定の角度をなすように傾けられていることを特徴する。
【０００７】
また、本発明に係る刈払機用の回転刈刃において、草刈のための刃を回転軸部に装着して回転させることにより草を刈る刈払機用の回転刈刃であって、前記回転軸部に装着するための装着部が中心部に設けられる平板状の回転本体部と、前記回転本体部の外縁部から外径側に突出し、前記回転本体部に対して所定の角度をなすように傾けられた３つの刃部と、を備え、前記３つの刃部は、周方向に均等な間隔をあけて突設されており、前記各刃部は、２つの板部を含み、前記各刃部のうち隣接する板部は、前記回転本体部に対して、それぞれ反対方向に前記所定の角度をなすように傾けられていることが好ましい。
また、本発明に係る刈払機用の回転刈刃において、草刈のための刃を回転軸部に装着して回転させることにより草を刈る刈払機用の回転刈刃であって、前記回転軸部に装着するための装着部が中心部に設けられる平板状の回転本体部と、前記回転本体部の外縁部から外径側に突出し、前記回転本体部に対して所定の角度をなすように傾けられた２つの刃部と、を備え、前記２つの刃部は、周方向に均等な間隔をあけて突設されており、前記各刃部は、２つの板部を含み、前記各刃部のうち隣接する板部は、前記回転本体部に対して、それぞれ反対方向に前記所定の角度をなすように傾けられていることが好ましい。
【発明の効果】
【０００８】
本発明によれば、より効率良く草を刈ることが出来る。
【図面の簡単な説明】
【０００９】
【図１】本発明に係る実施形態の刈払機用の回転刈刃の平面図及び側面図である。
【図２】本発明に係る実施形態において、ユーザが刈払機用の回転刈刃が装着された刈払機を用いて草を刈る様子を示す平面図である。
【図３】本発明に係る実施形態において、畑などに生えている草類及びユーザが刈払機用の回転刈刃が装着された刈払機を用いて草を刈ろうとしている様子を示す図である。
【図４】本発明に係る実施形態において、第１変形例である刈払機用の回転刈刃の平面図及び側面図である。
【図５】本発明に係る実施形態において、第２変形例である刈払機用の回転刈刃の平面図及び側面図である。
【図６】本発明に係る実施形態において、第３変形例である刈払機用の回転刈刃の平面図及び側面図である。
【発明を実施するための形態】
【００１０】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１１】
図１は、本発明に係る実施形態の刈払機用の回転刈刃１０の平面図及び側面図である。  図２は、ユーザ２が刈払機用の回転刈刃１０が装着された刈払機４を用いて草を刈る様子を示す平面図である。
【００１２】
図３は、畑などに生えている草類及びユーザ２が刈払機用の回転刈刃１０が装着された刈払機４を用いて草を刈ろうとしている様子を示す図である。
【００１３】
刈払機４は、ユーザ２が操作しながら、草や小径木を刈払うための機械であり、草刈機またはブッシュとも呼ばれることがある。刈払機４は、原動機と、当該原動機によって回転するシャフトと、当該シャフトの先端に設けられる回転軸部６に装着される刈払機用の回転刈刃１０と備える。
【００１４】
ユーザ２は、刈払機４のシャフトに固定されたハンドルを操作して刈払いを行い、ハンドルに設けられたレバー状のスロットルを調節することでエンジンの回転数を調節することが出来る。
【００１５】
刈払機用の回転刈刃１０は、回転軸部６に装着して回転させることにより草を刈るための草刈のための刃である。刈払機用の回転刈刃１０は、回転本体部１２と、刃部１４とを備えている。
【００１６】
刈払機用の回転刈刃１０は、適度な強度を有する材料、例えば、鉄と炭素の合金である鋼の一種で、炭素以外の含有元素の量が合金鋼に分類されない量以下である鋼である炭素鋼（Ｃａｒｂｏｎ  Ｓｔｅｅｌ）を用いることが出来る。
【００１７】
回転本体部１２は、回転軸部６に装着するための装着部が中心部に設けられる平板状の円部材である。回転本体部１２のサイズの一例を述べると、円の半径が８５ｍｍであり、厚みは１．４ｍｍである。また、回転本体部１２の中心部には、直径２５ｍｍの貫通孔１１が形成されている。貫通孔１１は、刈払機４のシャフトの先端にある回転軸部６に装着するための孔である。
【００１８】
刃部１４は、回転本体部１２の外縁部から外径側に突出し、回転本体部１２に対して所定の角度をなすように傾けられている。所定の角度とは、具体的には、図１に示されるように、回転本体部１２の径方向とのなす角度θ１であり、ここでは、３０°であるものとして説明する。
【００１９】
刃部１４は、４枚の板部１６ａ，１６ｂ，１６ｃ，１６ｄを含んで構成される。板部１６ａ，１６ｂ，１６ｃ，１６ｄにおいて、板部１６ａ，１６ｃが同じ方向に角度θ１をなすように傾けられており、板部１６ｂ，１６ｄが同じ方向に角度θ１をなすように傾けられている。なお、板部１６ａ〜１６ｄの径方向の長さは、例えば、４５ｍｍに設定することが出来る。
【００２０】
図１に示されるように、板部１６ｂ，１６ｄは下向きに曲げられており、板部１６ａ，１６ｃは上向きに曲げられている。すなわち、隣り合う板部１６ａ〜１６ｄは、回転本体部１２に対して、それぞれ反対方向に所定の角度θ１をなすように傾けられている。このように、バランスを取った状態で曲げられているため、刈払機４に装着された際に刈払機用の回転刈刃１０はバランスが取れた状態で回転することが出来る。
【００２１】
板部１６ａ〜１６ｄは、図１に示されるように、突出方向に沿った両端部に草刈りのための刃１５が形成されている。なお、ここでは、各板部１６ａ〜１６ｄに対する刃１５の角度θ２は４５°であるものとして説明するが、もちろん、適宜変更することが出来る。このように、板部１６ａ〜１６ｄは、突出方向に沿った両端部に刃１５が形成されているため、刈払機用の回転刈刃１０の回転方向が左回転でも右回転でも草を刈ることが出来る。
【００２２】
続いて、上記構成の刈払機用の回転刈刃１０の作用について説明する。農作物を育てる畑などでは、雑草などが生えて伸びてくると、適切なタイミングで草刈りを行う必要がある。手で草を刈ると手間や時間がかかるため、刈払機４を用いて刈払いを行うことがある。
【００２３】
一般的な刈払機の回転刈刃は、円形の板状鋸であるため、図２に示すように、ユーザ２が刈払機４のハンドルを操作し、回転刈刃の動きが円弧状となるように動かすと、草が刈り取れるが、草刈りが進んでいくうちに、回転軸部６に刈り取られた草が巻き付いていく。巻き付いた草が増えると、その後、上手く刈り取られずに作業効率が落ちるという課題がある。
【００２４】
従来の刈払機の回転刈刃は、上記のように円形の板状鋸であり、回転によって草を切断し、一文字状に切られたとしても草がすぐに倒れずに起立状態が維持されるため、刈払機４のハンドルを円弧状に操作したときに、当該起立状態の草を巻き込んでしまう。
【００２５】
ここで、本発明の実施形態の刈払機用の回転刈刃１０は、板部１６ｂ，１６ｄが下向きに曲げられており、板部１６ａ，１６ｃが上向きに曲げられるというように上下に曲げられた刃部１４を備えることを特徴としている。
【００２６】
この刈払機用の回転刈刃１０が回転した状態で草を刈ると、図３に示されるように、草３に対して、上部５Ｔと下部５Ｂの２箇所で切断される。最初に上部５Ｔ又下部５Ｂのいずれか一方が最初に切断され、他方が後から切断されることになるが、他方を切断する板部１６ａ〜１６ｄが当接する際に一方側は既に切れているため、草３を倒しながら切断することが出来る。なお、板部１６ａ〜１６ｄは角度θ１の傾斜を有しており、上部５Ｔ，下部５Ｂが斜めに切られるため、切り取られた草３が滑り落ちやすいという利点がある。
【００２７】
このように、草３を倒しながら切断することができるため、回転軸部６に刈り取られた草３が巻き付いてしまうことを抑制することが出来る。これにより、効率良く草を刈ることが出来るという顕著な効果を奏する。
【００２８】
次に、刈払機用の回転刈刃１０の第１変形例である刈払機用の回転刈刃１０ａについて説明する。図４は、刈払機用の回転刈刃１０ａの平面図及び側面図である。
【００２９】
刈払機用の回転刈刃１０ａは、刈払機用の回転刈刃１０と同様に、回転軸部６に装着して回転させることにより草を刈るための草刈のための刃であるが、以下では相違点を中心に説明していく。刈払機用の回転刈刃１０ａは、回転本体部１２ａと、刃部１４ａとを備えている。
【００３０】
回転本体部１２ａは、回転軸部６に装着するための装着部が中心部に設けられる略十字状の平板部材である。貫通孔１１ａは、刈払機４のシャフトの先端にある回転軸部６に装着するための孔である。
【００３１】
刃部１４ａは、回転本体部１２ａの外縁部から外径側に突出し、回転本体部１２ａに対して所定の角度をなすように傾けられている。所定の角度とは、具体的には、図４に示されるように、回転本体部１２ａの径方向とのなす角度θ１であり、ここでは、３０°であるものとして説明する。
【００３２】
刃部１４は、４枚の板部１７ａ，１７ｂ，１７ｃ，１７ｄを含んで構成される。板部１７ａ〜１７ｄにおいて、回転本体部１２ａの径方向とのなす角度θ１は、板部１７ａ，１７ｃが同じ下向きに傾けられており、板部１７ｂ，１７ｄが同じ上向きに方向に傾けられている。
【００３３】
続いて、上記刈払機用の回転刈刃１０ａの作用について説明する。刈払機用の回転刈刃１０ａは、刈払機用の回転刈刃１０の板部１６ａ〜１６ｄと同様に上下に傾けられた板部１７ａ〜１７ｄが設けられており、草３を倒しながら切断することが出来るため、回転軸部６に刈り取られた草が巻き付くことを抑制しつつ、効率良く草を刈ることが出来るという顕著な効果を奏する。
【００３４】
次に、刈払機用の回転刈刃１０の第２変形例である刈払機用の回転刈刃１０ｂについて説明する。図５は、刈払機用の回転刈刃１０ｂの平面図及び側面図である。
【００３５】
刈払機用の回転刈刃１０ｂは、刈払機用の回転刈刃１０と同様に、回転軸部６に装着して回転させることにより草を刈るための草刈のための刃であるが、以下では相違点を中心に説明していく。刈払機用の回転刈刃１０ｂは、回転本体部１２ｂと、刃部１４ｂとを備えている。
【００３６】
回転本体部１２ｂは、回転軸部６に装着するための装着部が中心部に設けられ、１２０°ずらされた状態で３つに分かれて径方向に突出する三又の平板部材である。貫通孔１１ｂは、刈払機４のシャフトの先端にある回転軸部６に装着するための孔である。
【００３７】
刃部１４ｂは、回転本体部１２ｂの外縁部から外径側に突出し、回転本体部１２ｂに対して所定の角度θ１をなすように傾けられている。刃部１４は、３つの突出板部１８ａ，１８ｂ，１８ｃを含んで構成される。
【００３８】
突出板部１８ａは、回転本体部１２ｂに対し所定の角度θ１をなすように、上側に傾けられた板部１８ａ１と、下側に傾けられた板部１８ａ２とを含んで構成される。
【００３９】
突出板部１８ｂは、回転本体部１２ｂに対し所定の角度θ１をなすように、上側に傾けられた板部１８ｂ１と、下側に傾けられた板部１８ｂ２とを含んで構成される。
【００４０】
突出板部１８ｃは、回転本体部１２ｂに対し所定の角度θ１をなすように、上側に傾けられた板部１８ｃ１と、下側に傾けられた板部１８ｃ２とを含んで構成される。
【００４１】
続いて、上記刈払機用の回転刈刃１０ｂの作用について説明する。刈払機用の回転刈刃１０ｂは、刈払機用の回転刈刃１０の板部１６ａ〜１６ｄと同様に上下に傾けられた６枚の板部１８ａ１，１８ａ２，１８ｂ１，１８ｂ２，１８ｃ１，１８ｃ２が設けられており、草３を倒しながら切断することが出来るため、回転軸部６に刈り取られた草が巻き付くことを抑制しつつ、効率良く草を刈ることが出来るという顕著な効果を奏する。
【００４２】
次に、刈払機用の回転刈刃１０の第３変形例である刈払機用の回転刈刃１０ｃについて説明する。図６は、刈払機用の回転刈刃１０ｃの平面図及び側面図である。
【００４３】
刈払機用の回転刈刃１０ｃは、刈払機用の回転刈刃１０と同様に、回転軸部６に装着して回転させることにより草を刈るための草刈のための刃であるが、以下では相違点を中心に説明していく。刈払機用の回転刈刃１０ｃは、回転本体部１２ｃと、刃部１４ｃとを備えている。
【００４４】
回転本体部１２ｂは、回転軸部６に装着するための装着部が中心部に設けられる矩形の平板部材である。貫通孔１１ｃは、刈払機４のシャフトの先端にある回転軸部６に装着するための孔である。
【００４５】
刃部１４ｃは、回転本体部１２ｃの外縁部から外径側に突出し、回転本体部１２ｃに対して所定の角度θ１をなすように傾けられている。刃部１４は、２つの突出板部１９ａ，１９ｂを含んで構成される。
【００４６】
突出板部１９ａは、回転本体部１２ｂに対し所定の角度θ１をなすように、上側に傾けられた板部１９ａ１と、下側に傾けられた板部１９ａ２とを含んで構成される。
【００４７】
突出板部１９ｂは、回転本体部１２ｂに対し所定の角度θ１をなすように、上側に傾けられた板部１９ｂ１と、下側に傾けられた板部１９ｂ２とを含んで構成される。
【００４８】
続いて、上記刈払機用の回転刈刃１０ｃの作用について説明する。刈払機用の回転刈刃１０ｃは、刈払機用の回転刈刃１０の板部１６ａ〜１６ｄと同様に上下に傾けられた４枚の板部１９ａ１，１９ａ２，１９ｂ１，１９ｂ２が設けられており、草３を倒しながら切断することが出来るため、回転軸部６に刈り取られた草が巻き付くことを抑制しつつ、効率良く草を刈ることが出来るという顕著な効果を奏する。
【符号の説明】
【００４９】
２  ユーザ、３  草、４  刈払機、５Ｂ  下部、５Ｔ  上部、６  回転軸部、１０，１０ａ，１０ｂ，１０ｃ  刈払機用の回転刈刃、１１，１１ａ，１１ｂ，１１ｃ  貫通孔、
１２，１２ａ，１２ｂ，１２ｃ  回転本体部、１４，１４ａ，１４ｂ，１４ｃ  刃部、１５  刃、１６ａ，１６ｂ，１６ｃ，１６ｄ，１７ａ，１７ｂ，１７ｃ，１７ｄ，１８ａ１，１８ａ２，１８ｂ１，１８ｂ２，１８ｃ１，１８ｃ２，１９ａ１，１９ａ２，１９ｂ１，１９ｂ２板部、１８ａ，１８ｂ，１８ｃ  突出板部。
【要約】
【課題】より効率良く草を刈ること可能とする刈払機用の回転刈刃を提供することである。
【解決手段】草刈のための刃を回転軸部６に装着して回転させることにより草を刈る刈払機用の回転刈刃１０であって、回転軸部６に装着するための装着部が中心部に設けられる平板状の回転本体部１２と、回転本体部１２の外縁部から外径側に突出し、回転本体部１２に対して所定の角度をなすように傾けられた刃部１４と、を備え、刃部１４は、偶数枚の板部１６ａ〜１６ｄを含み、隣り合う板部１６ａ〜１６ｄは、回転本体部１２に対して、それぞれ反対方向に所定の角度をなすように傾けられていることを特徴する。
【選択図】図１【図１】
0006664633.tif 000002
【図２】
0006664633.tif 000003
【図３】
0006664633.tif 000004
【図４】
0006664633.tif 000005
【図５】
0006664633.tif 000006
【図６】
0006664633.tif 000007